(57)【要約】      （修正有）【課題】ユーザのランニングまたはウォーキングに関連するデータを集めるインナーソールを提供する。【解決手段】靴用のインナーソール１００は、少なくとも一部が圧縮可能な材料から作製された本体と、本体内に組み込まれた複数の構成要素とを有し、構成要素が、圧力センサと、トランスミッタと、グローバルポショニング追跡デバイスと、加速度計と、圧力センサ、トランスミッタ、グローバルポジショニング追跡デバイス、および加速度計の１つ以上に接続された電源と、圧力センサ、グローバルポジショニング追跡デバイス、および加速度計からデータを受信し、そのデータをトランスミッタを介して遠隔地に送信するように構成されている制御回路と、を含んでいる。【選択図】図１
2018008026.tif 000002
【特許請求の範囲】
【請求項１】
靴用のインナーソールであって、
少なくとも一部が圧縮可能な材料から作製された本体と、
本体内に組み込まれた複数の構成要素と、を有し、
構成要素が、
圧力センサと、
トランスミッタと、
グローバルポジショニング追跡デバイスと、
加速度計と、
圧力センサ、トランスミッタ、グローバルポジショニング追跡デバイス、および加速度計の１つ以上に接続された電源と、
圧力センサ、グローバルポジショニング追跡デバイス、および加速度計からデータを受信し、そのデータをトランスミッタを介して遠隔地に送信するように構成されている制御回路と、を含んでいる、インナーソール。
【請求項２】
圧力センサが第１および第２の圧力センシングエリアを備え、
第１の圧力センシングエリアがインナーソールの本体のかかと領域に配置され、
第２の圧力センシングエリアがインナーソールの本体の前側領域に配置されている、請求項１に記載のインナーソール。
【請求項３】
第２の圧力センサをさらに有し、
第１の圧力センサが本体のかかと領域に配置され、
第２の圧力センサが本体の前側領域に配置されている、請求項１に記載のインナーソール。
【請求項４】
加入者識別モジュール（ＳＩＭ）カードをさらに有する、請求項１から３のいずれか一項に記載のインナーソール。
【請求項５】
請求項１から４のいずれか一項に係るインナーソールを有する、靴。
【請求項６】
制御回路に接続された高度計をさらに有する、請求項１から５のいずれか一項に記載のインナーソール。
【請求項７】
制御回路に接続された心電センサをさらに有する、請求項１から６のいずれか一項に記載のインナーソール。
【請求項８】
インナーソールが、センサレイヤとハードウェアレイヤとを有し、
ハードウェアレイヤが、少なくとも電源と制御回路とを含んでいる、請求項１から７のいずれか一項に記載のインナーソール。
【請求項９】
センサレイヤが、第１および第２のセンシングレイヤと、それらの間に配置された導電レイヤとを含んでいる、請求項８に記載のインナーソール。
【請求項１０】
電源が、充電可能なバッテリであって、
インナーソールが充電ポートをさらに有する、請求項１から９のいずれか一項に記載のインナーソール。
【請求項１１】
請求項１に係るインナーソールと、インナーソールのトランスミッタから情報を受信するリモートデバイスとを有するシステムであって、
リモートデバイスが、受信データを処理する手段と、処理した情報を表示する手段とを備える、システム。
【請求項１２】
履き物の複数のブランドおよび複数の種類の少なくとも一方に関するデータのデータベースをさらに有し、
データがユーザの足底に対する履き物のサポート能力に関連しており、
圧力センサからの情報とデータベースとを比較し、その比較に基づいて好ましい履き物のブランドおよび種類の少なくとも一方を提示する手段をさらに有する、請求項１１に記載のシステム。
【請求項１３】
ユーザに最適な履き物を決定する方法であって、
請求項１１に係るシステムを使用し、
圧力センサから受け取った情報から、足が地面に着いている状態でのユーザの体重分布および左右に動くときにユーザの足にかかる圧力の少なくとも一方を測定し、
この情報をリモートデバイスに送信し、そのリモートデバイスが履き物の複数のブランドおよび複数の種類の少なくとも一方に関するデータにアクセスし、そのデータが履き物のブランドおよび種類の少なくとも一方におけるユーザの足底に対するサポート能力に関連しており、
検出された力の分布と記憶されている履き物のブランドおよび種類の少なくとも一方のデータとを比較し、その比較に基づいて好ましい履き物のブランドおよび種類の少なくとも一方を提示する、方法。
【請求項１４】
個人が地面から離れている時間を測定する方法であって、
個人に対して請求項１に係る少なくとも１つのインナーソールを設け、
個人が地面から離れたことを意味する離陸タイミングを示す急加速およびそれと同時の圧力急降下をそれぞれ測定する加速度計と圧力センサとを組み合わせて使用し、
個人が地面に着地したことを意味する離陸タイミングを示す急減速およびそれと同時の圧力急上昇をそれぞれ測定する加速度計と圧力センサとを組み合わせて使用し、
離陸状態と着陸状態の間の時間を算出することによってユーザが地面から離れている時間を測定する、方法。
【発明の詳細な説明】
【発明の分野】
【０００１】
本発明は、靴用のインナーソールに関する。
【発明の背景】
【０００２】
従来から知られているＮＩＫＥ（登録商標）などの靴に導入される追跡デバイスは、ランニングまたはウォーキングの距離やペースに関する情報の量について限界がある。
【０００３】
本発明は、このようなシステムを改良することを課題とする。
【発明の概要】
【０００４】
本発明の第１の態様によれば、
靴用のインナーソールであって、
少なくとも一部が圧縮可能な材料から作製された本体と、
本体内に組み込まれた複数の構成要素と、を有し、
構成要素が、
圧力センサと、
トランスミッタと、
グローバルポジショニング追跡デバイスと、
加速度計と、
圧力センサ、トランスミッタ、グローバルポジショニング追跡デバイス、および加速度計の１つ以上に接続された電源と、
圧力センサ、グローバルポジショニング追跡デバイス、および加速度計からデータを受信し、そのデータをトランスミッタを介して遠隔地に送信するように構成されている制御回路と、を含んでいる、インナーソールが提供される。
【０００５】
本発明は、ユーザのランニングまたはウォーキングに関連するデータを集める、圧力センサ、グローバルポジショニング追跡デバイス、および加速度計を備える。そして、この情報は、これまでの従来技術では得られない情報を取得するために、まとめて遠隔地に送信される。
【０００６】
インナーソールは、加入者識別モジュール（ＳＩＭ）カードをさらに有してもよい。ＳＩＭカードは、取り外し可能であってもよく、好ましくは統合型（ｉｎｔｅｇｒａｔｅｄ）ｅ−ＳＩＭであってもよい。トランスミッタが、インナーソールを、セルラー通信能力を持つＳＩＭまたはｅ−ＳＩＭを備えるローカルデバイスに接続してもよい。
【０００７】
圧力センサが第１および第２の圧力センシングエリアを備えてもよく、その場合、第１の圧力センシングエリアがインナーソールの本体のかかと領域に配置され、第２の圧力センシングエリアがインナーソールの本体の前側領域に配置される。代わりとして、インナーソールが第２の圧力センサをさらに有してもよく、その場合、第１の圧力センサが本体のかかと領域に配置され、第２の圧力センサが本体の前側領域に配置される。
【０００８】
インナーソールは、靴に対して取り外し可能なインナーソールとして提供されてもよい。なお、最終製品の靴に対して直接的に一体化することも可能である。
【０００９】
インソールが、好ましくは、制御回路に接続された高度計をさらに有してもよい。
【００１０】
インソールが、好ましくは、制御回路に接続された心電センサをさらに有してもよい。
【００１１】
電源は、大容量キャパシタなどの適当な電源であってもよい。なお、バッテリが好ましい。また、充電のために着脱可能であってもよいし、そのままの状態で充電可能であってもよい。後者の場合、インソールは、好ましくは充電ポートを有する。
【００１２】
本発明はまた、本発明の第１の態様に係るインナーソールと、インナーソールのトランスミッタから情報を受信するリモートデバイスとを有し、そのリモートデバイスが、受信したデータを処理して取り扱う手段と、その処理した情報を表示する手段とを備えているシステムである第２の態様にもおよんでいる。リモートデバイスは、受信したデータを復号して表示するために、適当なオペレーションシステム、互換性があるソフトウェア、より商業的な形態ではアプリを備えることができる。受信したデータは、リモートデバイス自体、他のサードパーティのデバイス、および／またはソーシャルメディアプラットフォームに表示されてもよい。アプリは、情報の表示やその表示方法についてユーザが選択できるようにカスタマイズ可能であるのが好ましい。インナーソールは、インナーソールのトランスミッタが情報を送信する前に情報を処理して取り扱う手段を備えてもよい。これにより、通信の情報量や頻度を減少することができる。リモートデバイスは、ユーザの個人デバイスであってもよい。代わりとしてまたは加えて、データは、第２のユーザによって操作されるリモートデバイスに送信されてもよい。このデータは、例えばインソールの位置を含んでもよく、それにより第２のユーザは前進する第１のユーザを追跡することができる。この位置データは、レース時などの第１のユーザのルートマップに重ね合わせられてもよい。
【００１３】
システムはさらに、履き物の複数のブランドおよび／または複数の種類（インソールのブランドおよび／または種類を含む）に関連するデータのデータベースを有し、そのデータがユーザの足底に対する履き物のサポート能力に関連し、そして、圧力センサからの情報とデータベースとを比較し、その比較に基づいて好ましい履き物のブランドおよび／または種類をユーザに提示してもよい。この提示により、ユーザは履き物の特定のブランドおよび／または特定の種類を注文することができる。アフィリエイトマーケティングなどの公知技術を用いることにより、ユーザを、オンラインリテーラなどのポップ（ｐｏｉｎｔ  ｏｆ  ｐｕｒｃｈａｓｅ）に案内することができる。
【００１４】
ユーザの足底に対する履き物のサポート能力に関連するデータは、履き物のブランドおよび／または種類のニューバージョンへの改良点を決定するメーカーが使用するために、履き物の古いブランドおよび／または種類の識別子とともに、さらなるデータベースに記憶されてもよい。
【００１５】
本発明の第３の態様を形成する方法は、ユーザの使用に最適な履き物を決定する方法であって、本発明の第２の態様に係るシステムを使用し、圧力センサから受け取った情報から足が地面に着いている状態でのユーザの体重分布および／または左右に動くときにユーザの足にかかる圧力を測定し、この情報をリモートデバイスに送信し、そのリモートデバイスが履き物の複数のブランドおよび／または複数の種類に関するデータにアクセスし、そのデータが履き物のブランドおよび／または種類におけるユーザの足底に対するサポート能力に関連しており、検出された力の分布と記憶されている履き物のブランドおよび／または種類のデータとを比較し、その比較に基づいて好ましい履き物のブランドおよび／または種類を提案する。アフィリエイトマーケティングなどの公知技術を用いることにより、ユーザを、オンラインリテーラなどのポップ（ｐｏｉｎｔ  ｏｆ  ｐｕｒｃｈａｓｅ）に案内することができる。
【００１６】
現時点、ユーザが、新しい一対の靴を購入するためのガイダンスとして、歩き方、フットストライク（ｆｏｏｔ  ｓｔｒｉｋｅ）、および／またはプレイヤ負荷（ｐｌａｙｅｒ  ｌｏａｄｉｎｇ）の性質に関する情報を得る場合、通常、スポーツウェアストアに行く必要があり、また、歩行解析に使用される画像をカメラで撮影しながらトレッドミルを走行する必要がある。
【００１７】
本発明を用いれば、歩き方、フットストライク、および／またはプレイヤ負荷の性質に関する情報を、通常使用中に、リアルタイムに得ることができる。好ましい履き物の提示として、例えば、特定の靴またはある分類の靴を得るための助言が提示されてもよい。加えて、ユーザの歩き方、フットストライク、および／またはプレイヤ負荷の性質に関する情報が、公知の生物力学的、スポーツサイエンス的な知識や見解と協働して理想的な走行スタイルを提案するために使用されてもよい。加えてまたは代わって、ランニング速度、パワー出力、および歩調などのイベント用の特定の提案が、特定のイベントに参加するユーザのために提供されてもよい。提案はまた、休憩時や水分補給時などのコンディションに関連するアドバイスを含んでいてもよい。
【００１８】
本発明の第４の態様によれば、個人が地面から離れている時間を測定する方法であって、個人に対して本発明の第１の態様に係る少なくとも１つのインナーソールを設け、個人が地面から離れたことを意味する離陸タイミングを示す急加速およびそれと同時の圧力急降下をそれぞれ測定する加速度計と圧力センサとを組み合わせて使用し、個人が地面に着地したことを意味する着陸タイミングを示す急減速およびそれと同時の圧力急上昇をそれぞれ測定する加速度計と圧力センサとを組み合わせて使用し、離陸状態と着陸状態の間の時間を算出することによってユーザが地面から離れている時間を測定する。高度計からのデータが、上述の方法における離陸状態および着陸状態の判定のために、加えて使用されてもよい、または代わって使用されてもよい。
【００１９】
これにより、インソールは、”滞空時間（ｈａｎｇ  ｔｉｍｅ）”、すなわち、着用者の靴が地面から離れている時間を測定することができる。これにより、スポーツの指導者に対して重要な統計的情報を提供することができ、また、観客に対して興味ある情報を提供することができる。
【図面の簡単な説明】
【００２０】
本発明は、以下、ほんの一例として、添付の図面を参照しながら詳細に説明される。
【図１】本発明の一実施の形態に係るインソールの側方断面図
【図２】本発明の一実施の形態に係るインソールの概略的構成図
【図３】本発明の一実施の形態に係るインソールのトップレイヤの底面図
【図４】本発明の一実施の形態に係るインソールの中間レイヤの上面図
【図５】本発明の一実施の形態に係るインソールのさらなる中間レイヤの上面図
【図６】本発明の一実施の形態に係るインソールのボトムレイヤの上面図
【図７】本発明の一実施の形態に係るインソールの底側部分断面図
【図８】本発明の一実施の形態に係るシステムの概略図
【発明を実施するための形態】
【００２１】
本発明の実施の形態として、図１から図７に、インナーソール１００が示されている。インナーソール１００は、ハードウェアレイヤ４０と多層センサレイヤ２とによって形成されている。図１に示すように、インナーソール１００は、実質的に、ユーザの足１に合わせて形成されている。
【００２２】
センサレイヤ２は、図２から図５に、より詳細に示されている。図３は、ユーザの足１に接触する多層センサレイヤ２におけるトップレイヤ１０を示している。この図は、図１において、ユーザの足に向かって上方向に見た状態を示している。トップセンサレイヤ１０は、高曲げ強度、高穿刺抵抗、および柔軟性を備える、高衝撃エンジニアリングポリマー（ポリカーボネートまたはナイロンなど）、ガラスファイバーまたはカーボンファイバーの複合材料、二軸配向フィルム、または他の材料などの、吸収や消散に適した材料から実質的に作製されている。
【００２３】
この材料は、ユーザの足１との接触点を提供する。ユーザの足１から遠いレイヤ１０の下面に、第１および第２のセンサ装置１１、１５が設けられている。第１のセンサ装置１１は、レイヤ１０の前側に位置し、ユーザの足の前部によって印加される力を検出するように配置されたセンシングエリア１２を有する。センシングエリア１２は、コンタクトパッド１４に電気的に接続されている電流経路部（ｔｒａｃｋｉｎｇ  ｓｅｃｔｉｏｎ）１３に対して電気的に接続されている。第２のセンサ装置１５は、レイヤ１０の後側に位置し、ユーザのかかとによって印加される力を検出するように配置されたセンシングエリア１６を有する。センシングエリア１６は、コンタクトパッド１８に電気的に接続されている電流経路部１７に対して電気的に接続されている。
【００２４】
多層センサレイヤ２の中間レイヤ２０が、図４に示されている。この図は、図１において、ユーザの足１から下方向に見た状態を示している（図３における方向とは反対方向に見ている）。中間レイヤ２０は、電気を導電するための導電レイヤである。このレイヤは、通常、複数の導電領域を形成するためにカーボンブラックインクが含浸された高分子フィルムから作製されている。これらの領域は、第１のレイヤ１０の第１および第２のセンシングエリア１２、１６と電気的に接触する前側および後側センサ導電エリア２１、２２を有する。また、導電パッド２３、２４、２５、および２６が設けられている。これらの導電パッドは、互いに電気的に独立しており、前側および後側センサ導電エリア２１、２２からも独立している。導電パッド２３、２５は、第１のレイヤ１０の第１および第２のコンタクトパッド１４、１８に対して電気的に接触している。
【００２５】
多層センサレイヤ２のボトムレイヤ３０が、図５に示されている。このレイヤは、発泡エラストマー、熱可塑性エラストマー、発泡熱可塑性エラストマー、または他の適切な柔軟材料などの適切なクッション材料から作製されている。ユーザの足側であるそのレイヤ３０の上面には、第１および第２のセンサ装置３１、３５が設けられている。第１のセンサ装置３１は、レイヤ３０の前側に位置し、ユーザの足の前部によって印加された力を検出するように配置されたセンシングエリア３２を有する。センシングエリア３２は、コンタクトパッド３４に電気的に接続されている電流経路部３３に対して電気的に接続されている。第２のセンサ装置３５は、レイヤ３０の後側に位置し、ユーザのかかとによって印加される力を検出するように配置されたセンシングエリア３６を有する。センシングエリア３６は、コンタクトパッド３８に電気的に接続されている電流経路部３７に対して電気的に接続されている。
【００２６】
多層センサレイヤ２の３つのレイヤ１０、２０、３０は、多段階のフォーミングプロセスにおいて一緒に形成されてもよい。代わりとして、レイヤ１０、２０、３０は、互いに接着されてもよい。
【００２７】
ハードウェアレイヤ４０が図６に示されている。このレイヤ４０は、センサを支持するために、また書き込み動作に必要なハードウェアを組み込んで保護するために、構造材料から作製されている。ハードウェアレイヤ４０はＰＣＢアセンブリ４１を有する。このＰＣＢアセンブリは、インソール１００に関連するさらなるセンサを有する。特に、このＰＣＢアセンブリ４１は、マイクロプロセッサ、モーションセンサ（加速度計および／またはジャイロスコープなど）、衛星ナビゲーション用レシーバ／アンテナ、ワイヤレス通信モジュール（ブルートゥース(登録商標)および／または、統合型（ｉｎｔｅｇｒａｔｅｄ）加入者識別モジュール（ＳＩＭ）カード（ｅ−ＳＩＭ）を介するセルラー通信など））、および上述の構成要素に接続された電源（バッテリーモジュールなど）を有してもよい。好ましい実施の形態において、バッテリーモジュールはリチウムセラミックバッテリーである。ハードウェアレイヤ４０はまた、複数のハードウェア用接点４３、４４、４５、４６を備えている。これらの接点は、第１および第３のレイヤ１０、３０それぞれの第１および第２のセンシングエリア１１、１５、３１、３５に対して信号を送受信するために、中間レイヤ２０の導電エリア、２３、２４、２５、２６それぞれに電気的に接触するように配置されている。これらの信号は、各エリアに対してユーザの足１によって付与された力を測定するために、ＰＣＢ上のマイクロプロセッサによって処理される。ＰＣＢがセンサ領域によって収集されるデータに影響を与えることがないように、図７に示すように、ＰＣＢは、ユーザの足１のアーチ領域に配置されている。これにより、センシングエリアは、足前部およびかかとの接触エリア全体にわたって拡がることができる。
【００２８】
図２には、ハードウェアレイヤ４０に一体的に取り付けられた多層センサレイヤ２の構成を概略的に示している。この概略図には、レイヤの材料は示されてはいない。ボトムレイヤ３０の構成要素は、第１および第２のレイヤ１０、２０における構成要素の真下にあって隠れているために、破線で示されている。
【００２９】
図８は、本発明に係るシステムを示している。ユーザは、インソール１００を含む履き物５を装着している。データが、履き物５から、本実施の形態ではスマートフォンであるリモートデバイス６に送信される。リモートデバイス６は、足が地面に着いている状態でのユーザの体重の分布および／または左右に動くときに足にかかる圧力の情報を圧力センサから受信し、その情報と外部サーバ７に記憶されているデータとを比較し、その比較に基づいて好ましい履き物のブランドおよび／または種類をユーザに提示する。
【図１】
2018008026.tif 000003
【図２】
2018008026.tif 000004
【図３】
2018008026.tif 000005
【図４】
2018008026.tif 000006
【図５】
2018008026.tif 000007
【図６】
2018008026.tif 000008
【図７】
2018008026.tif 000009
【図８】
2018008026.tif 000010
【手続補正書】
【提出日】平成29年8月17日(2017.8.17)
【手続補正１】
【補正対象書類名】図面
【補正対象項目名】全図
【補正方法】変更
【補正の内容】
【図１】
2018008026.tif 000011
【図２】
2018008026.tif 000012
【図３】
2018008026.tif 000013
【図４】
2018008026.tif 000014
【図５】
2018008026.tif 000015
【図６】
2018008026.tif 000016
【図７】
2018008026.tif 000017
【図８】
2018008026.tif 000018
【外国語明細書】
2018008026.tif 000019
2018008026.tif 000020
2018008026.tif 000021
2018008026.tif 000022
2018008026.tif 000023
2018008026.tif 000024
2018008026.tif 000025
2018008026.tif 000026
2018008026.tif 000027
2018008026.tif 000028
2018008026.tif 000029
2018008026.tif 000030
2018008026.tif 000031
2018008026.tif 000032
2018008026.tif 000033
2018008026.tif 000034
2018008026.tif 000035
2018008026.tif 000036
2018008026.tif 000037